(57)【要約】【課題】針軸部の径が太い編針であっても、ストッパーの軽量化が図れ、コストも安価で、かつ収納時、携帯時にも使い勝手がよく、利便性の高いストッパー付き編針を提供する。【解決手段】棒状の針軸部の一端に、編み糸抜け防止用のストッパーを有する編針であって、上記ストッパーには貫通孔が形成されている。好ましくは、上記ストッパーには偏平部が形成されており、上記貫通孔は、上記偏平部の略中央において、この偏平部を厚み方向に貫通するように形成されている。【選択図】      図１
0003107600.tif 000002
【実用新案登録請求の範囲】
【請求項１】
棒状の針軸部の一端に、編み糸抜け防止用のストッパーを有する編針であって、上記ストッパーには貫通孔が形成されていることを特徴とする編針。          
【請求項２】
上記ストッパーには偏平部が形成されており、上記貫通孔は、上記偏平部の略中央において、この偏平部を厚み方向に貫通するように形成されている、請求項１に記載の編針。
【請求項３】
上記針軸部とストッパーとは一体成型されている、請求項１または２に記載の編針。
【考案の詳細な説明】
【技術分野】
【０００１】
本考案は、編針、さらに詳しくは、主に二本を一組として使用する、編み糸抜け防止用のストッパーを有する、手編み用棒針の改良に関するものである。
【背景技術】
【０００２】
手編み用編針としては、本体が棒状のいわゆる棒針と、両先端部を可撓性線材等で連結した、輪編み用のいわゆる輪針がよく知られている。さらに、棒針には、針軸部の両端ともに略弾頭形状ないし略円錐形状の針先部が形成されているものと、針軸部の一端にのみ上記針先部が形成され、もう一端には編み糸抜け防止用のストッパーが形成されているものがある。
【０００３】
編針を用いて編み作業を行う場合、通常、編み作業は長時間に及ぶこと、また、編み進めるにしたがって、編針の重量に、編みかけの編地の重量が加わることにより、編み作業を行う作業者の手にかかる負担は相当なものとなっていた。作業者に与える疲労を少しでも軽減するためには、編針を軽量化することが望ましく、軽量化を主な目的として、針軸部に中空筒部材を用いて形成された編針が提案されている（図４参照）。
【特許文献１】特開２００１−２５４２５２号公報
【考案の開示】
【考案が解決しようとする課題】
【０００４】
しかしながら、上記中空筒部材を用いた編針であっても、編み作業を進める上では、次のような不具合を生じていた。
【０００５】
すなわち、確実に編み糸の抜け落ちを防止するためには、針軸部周側面とストッパー周側面との段差を大きくしておく必要があり、特に太い毛糸を編む場合ほど上記段差を大きくしておく必要がある。太い毛糸を編むためには、太い棒針を使用する必要があり、編み糸抜け防止のためには、さらに段差が大きくとれるストッパーを形成しておくことが必要となる。つまり、太い棒針ほど段差が大きくとれる大径のストッパーが必要となり、針軸部に中空筒部材を用いたとしても、ストッパーの重量により、全体の軽量化が図りにくいものとなっていた。また、針軸部に中空筒部材を用いた棒針においては、針先部は別部材となるため、全体のコストも高くならざるを得ない。さらに、別部材を接着することにより針先部と針軸部との表面間にわずかな段差が発生することもあり、その段差に糸がひっかかり、糸送りがスムースにいかないといった問題点もあった。また、複数の編針の収納時あるいは携帯時には、それぞれがバラバラになりやすいという問題も生じていた。
【０００６】
本考案は、このような事情のもとで考え出されたものであって、針軸部の径が太い編針であっても、ストッパーの軽量化が図れ、コストも安価で、利便性の高いストッパー付き編針を提供することを、その課題とする。
【課題を解決するための手段】
【０００７】
上記の課題を解決するため、本願考案では、次の技術的手段を講じている。
【０００８】
本願考案によって提供される編針は、編み糸抜け防止用のストッパーを有する編針であって、上記ストッパーには貫通孔が形成されていることを特徴としている。
【０００９】
本願考案の好ましい実施の形態によれば、上記ストッパーには偏平部が形成されており、上記貫通孔は、上記偏平部の略中央において、この偏平部を厚み方向に貫通するように形成されている。
【００１０】
本願考案の好ましい実施の形態によればまた、針軸部とストッパーは一体成型されている。
【考案の効果】
【００１１】
このような構成によれば、中実のストッパーに比べ、軽量化でき、材料も節約できる。また、重くならずに針軸部側面との段差を大きくとることができるため、編み糸の抜け落ちが確実に防止できる。また、偏平部が形成されていることにより、棒針のころがりが防止できる。また、一体成型することによりコストも安価となり、糸送りの際、糸がひっかかることもなくなる。さらに、複数の編針の上記貫通孔に紐等を通して束ねておくことで、収納時あるいは携帯時に二本がバラバラになるのを防ぐことができる。
【００１２】
本願考案のその他の特徴および利点は、以下に行う考案の実施の形態の説明から、より明らかになるであろう。
【考案を実施するための最良の形態】
【００１３】
以下、本願考案の好ましい実施の形態を、添付図面を参照して具体的に説明する。
【００１４】
図１は、本願考案に係る編針Ａの一実施形態を示す正面図である。この編針Ａは、針軸部１と、針先部２およびストッパー３とを有し、それぞれが一体成型されている。編針Ａは、たとえばＡＢＳ樹脂等の合成樹脂製であるが、軽金属製、竹製、木製、その他の材料であってもかまわない。また、ストッパー３は、針軸部１及び針先部２とは別の材料であってもかまわない。
【００１５】
ストッパー３は、針軸部１の一端に、正面図における外観が略台形状となるように一体成型されたものであり、相対称となる一対の周面部には偏平部４が形成されている。さらに、その偏平部４の略中央において、この偏平部４を厚み方向に貫通するように、円形の貫通孔５が形成されている。このような構成であれば、球状、あるいは中実のストッパーと比べて、ストッパーの軽量化が図れ、長時間におよぶ編み作業時において、作業者の疲労を軽減でき、材料も節約できる。また、偏平部４が形成されていることにより、編針Ａのころがりも防止できる。
【００１６】
さらにまた、ストッパー３と針軸部1との境界には、平坦面６が形成されており、他方の端面７と比べ、面積が大きくなるように形成されている。このような構成であれば、ストッパー３の軽量化を図りつつ、針軸部１の側面８とストッパー３の側面９との最長距離差Ｌ１を、図４に示す従来の編針１０の上記最長距離差Ｌ２と比べ、効果的に長くすることができ、また、編み糸との接触度合い高めることができるため、編み糸の抜け落ちが確実に防止できる。上述のとおり、太い毛糸を編む場合ほど、太い編針が必要であり、段差の大きなストッパーが必要となるため、この効果は、太い編針ほど顕著なものとなる。
【００１７】
また、本編針Ａは、針軸部１と、針先部２およびストッパー３とがそれぞれが一体成型されていることから、別部材で形成した針軸部１１、針先部１２、ストッパー１３をそれぞれ接着した従来の編針１０と比べると、金型の種類や組み立て工程等も少なくてすみ、大幅にコストを下げることができる。さらに、針先部１２で形成した編み目を針軸部１１の後方へ送る際、別部材を接着することにより発生する針軸部１１と針先部１２との段差１４に糸がひっかかり、糸送りがスムースにいかないといった問題点もなくなる。
【００１８】
一方、複数の本編針Ａを収納あるいは携帯する場合、ストッパー３に形成された貫通孔５に紐等を通し、束ねておくことで、それぞれがバラバラにならず、きわめて便利である。また、編みもの教室等では、他人の編針と自分の編針とを区別することに苦労する場合もあったが、自分の編針の目印として、貫通孔５に短い糸を結んだり軽量のアクセサリー等をつけておくことで、即座に区別できるという効果もある。
【００１９】
なお、本願実施形態においては、ストッパー３は、正面図における外観が略台形状のものとなっているが、本願考案は、これに限定されない。図３に示すように、上記外観が略円型のドーナツ状のものであってもかまわない。図３に示す編針Ｂにおいても、構成は上記した実施形態と略同様であり、その効果も同様である。
【００２０】
もちろん、本願考案に係る金属製品用吸着保持具の各部の具体的な構成は、上記実施形態に限定されず、種々に設計変更可能である。ストッパーの外観形状は本願実施形態に限定されないことは言うまでもなく、貫通孔の形状も種々の形状にすることが可能である。
【図面の簡単な説明】
【００２１】
【図１】本願考案に係る編針の一実施形態を示す正面図である。
【図２】図１に示す編針のＣＣ線断面斜視図である。
【図３】他の実施形態を示す正面図である。
【図４】従来例の正面図である。
【符号の説明】
【００２２】
Ａ    編針
１    針軸部
２    針先部
３    ストッパー
４    偏平部
５    貫通孔
６    平坦面
【図１】
0003107600.tif 000003
【図２】
0003107600.tif 000004
【図３】
0003107600.tif 000005
【図４】
0003107600.tif 000006